(57)【要約】【課題】ドライバ構造を提供する。【解決手段】ドライバ構造は、本体１０、スイッチセット２０、押圧セット３０及び第３の弾性部材４０を備える。本体１０は、一端に駆動部が設けられ、他端にハンドルが取り付けられる。ハンドル内には、第１の収容槽が形成される。第１の収容槽内には、第２の収容槽が形成される。第１の収容槽と第２の収容槽との間には、第１の当接縁が設けられる。本体１０は、少なくとも１つの第１のスライドレールを有する。スイッチセット２０は、本体１０と組み合わされるとともに、第１の収容槽及び第２の収容槽に取付けられる。スイッチセット２０は、２つの第１の挟持部を有し、スイッチセット２０が押圧されると、２つの第１の挟持部が互いに近づき、スイッチセット２０が再び押圧されると、２つの第１の挟持部が互いに離れ、スイッチセット２０が押圧されると、２つの第１の挟持部は、互いに近づくか離れる。【選択図】図１
0003232270.tif 000002
【実用新案登録請求の範囲】
【請求項１】
本体、スイッチセット、押圧セット及び第３の弾性部材を備えた、ドライバ構造であって、
前記本体は、一端に駆動部が設けられ、他端にハンドルが取り付けられ、ハンドル内には、第１の収容槽が形成され、第１の収容槽内には、第２の収容槽が形成され、第１の収容槽と第２の収容槽との間には、第１の当接縁が設けられ、本体は、少なくとも１つの第１のスライドレールを有し、
前記スイッチセットは、本体と組み合わされるとともに、第１の収容槽及び第２の収容槽に取付けられ、スイッチセットは、２つの第１の挟持部を有し、スイッチセットが押圧されると、２つの第１の挟持部が互いに近づき、スイッチセットが再び押圧されると、２つの第１の挟持部が互いに離れ、スイッチセットが押圧されると、２つの第１の挟持部は、互いに近づくか離れ、
前記押圧セットは、本体及びスイッチセットと組み合わされ、押圧セットが第１の収容槽内に向かって変位すると、押圧セットがスイッチセットを押圧し、２つの第１の挟持部が押圧セットに係合され、押圧セットは、第１の収容槽内に位置決めされて外れなくされ、押圧セットが再び押圧されると、２つの第１の挟持部が押圧セットに係合されなくなり、押圧セットは、第１の収容槽の開口に向かって変位し、
前記第３の弾性部材は、第１の収容槽内に収容されるとともに、第１の当接縁と押圧セットとの間に付勢力を作用させることを特徴とする、ドライバ構造。
【請求項２】
駆動部の端部は、ドライバビット構造であるか、槽状に形成されて各ドライバビットが嵌設されるか、四角ビットに形成され、
第１の収容槽は、ハンドル端部に至るまで延びて開放状を呈し、第１の収容槽の開口は、駆動部から遠く、第２の収容槽は、第１の収容槽と連通し、第２の収容槽は、駆動部と第１の収容槽との間に形成され、第２の収容槽の直径は、第１の収容槽の直径より小さく、第１のスライドレールの数は複数個であり、複数の第１のスライドレールは、第１の収容槽の内面上に間隔をおいて環状配列され、第１のスライドレールの端部には、第１の拘束部が設けられ、第１の拘束部は、第１の収容槽の開口近くに設けられることを特徴とする請求項１に記載のドライバ構造。
【請求項３】
第１のスライドレールは、一部品であり、本体上に取付けられるか、本体と一体成形されることを特徴とする請求項２に記載のドライバ構造。
【請求項４】
スイッチセットは、第１のベースボディ、第２のベースボディ、挟持ブロック、制御部材及び第１の弾性部材を有し、
第１のベースボディは、第２の収容槽に固設され、第１のベースボディ内には、第１の収納槽が形成され、第２のベースボディは、第１の収納槽内に固設され、第２のベースボディ内には、第２の収納槽が形成され、第２のベースボディの一側には、スライド溝が形成され、スライド溝は、第２の収納槽と連通し、スライド溝は、第１の経路、第２の経路、第３の経路、係合部、第４の経路及び第５の経路をこの順に有し、第１の経路、第２の経路、第３の経路、係合部、第４の経路及び第５の経路は、ループを構成し、第２のベースボディは、２つの第１の押圧部を有し、２つの第１の押圧部は、第２の収納槽の開口近くに設けられ、
挟持ブロックは、第２の収納槽に取付けられ、２つの第１の挟持部は、挟持ブロックの一端に設けられ、２つの第１の挟持部は、対向状に設置され、挟持ブロックは、第２の収納槽で変位すると、２つの第１の挟持部が互いに近づいて第１の押圧部に当接されるか、互いに離れて第１の押圧部から離れて第２の収納槽から突出され、挟持ブロックは、第３の収納槽を有し、第３の収納槽は、挟持ブロックに穿設され、第３の収納槽は、第２の押圧部を有し、
制御部材は、第２のベースボディ及び挟持ブロックと組み合わされ、制御部材は、第２の凸柱を有し、第２の凸柱は、第３の収納槽に挿設され、第２の凸柱は、第３の押圧部を有し、第３の押圧部は、第２の押圧部に押当てられるか押当てられず、制御部材は、移動部を有し、移動部は、スライド溝に収容され、挟持ブロックを押圧し、挟持ブロックは、第２の収納槽内で変位し、移動部は、スライド溝で変位し、第２の凸柱が挟持ブロックにより駆動されて第３の収納槽内で自然に旋回すると、移動部がスライド溝内で移動し、係合部から外れ、挟持ブロックは、第１の経路の始点である第１位置に位置し、第３の押圧部は、第２の押圧部に押当てられるか、移動部がスライド溝内で移動し、係合部に係合されて位置決めされ、挟持ブロックは、第２位置に位置決めされ、挟持ブロックが複数回押圧されると、挟持ブロックが第１位置及び第２位置で往復されて位置決めされ、２つの第１の挟持部は、第１の位置で互いに離れ、第２位置で互いに近づき、
第１の弾性部材は、制御部材と挟持ブロックとの間に付勢力を作用させ、第１の弾性部材は、挟持ブロックを復位させることを特徴とする請求項２に記載のドライバ構造。
【請求項５】
第１のベースボディは、中空状の円ベースボディ体であり、第１の収納槽は、長方形槽であり、
第２の収納槽の開口は、第１の収納槽の開口に対して平行に設けられ、第２の収納槽は、長方形槽であり、係合部は、凹弧部であり、第２の収納槽の底部には、第１の凸柱が突設され、第１の凸柱は、円柱状であり、
挟持ブロックの他端には、第１のばね収容槽が形成され、第１のばね収容槽は、第１の凸柱に対して対向し、第１のばね収容槽の開口は、第１の挟持部から離れ、第３の収納槽は、第１のばね収容槽と連通し、第３の収納槽は、第１の挟持部と第１のばね収容槽との間に形成され、
移動部は、円体状を呈し、
第１の弾性部材は、第２の収納槽と第１のばね収容槽との間に付勢力を作用させ、第１の弾性部材は、第２の収納槽の底部と第２の凸柱との間に付勢力を作用させ、第１の弾性部材は、第１の凸柱上に嵌合されることを特徴とする請求項４に記載のドライバ構造。
【請求項６】
移動部は、スライド溝に収容され、
第１の弾性部材は、第２の収納槽の底部と挟持ブロックとの間に付勢力を作用させ、２つの第１の挟持部が互いに離れて第２の収納槽から突出され、第１の弾性部材の付勢力により第３の押圧部が第２の押圧部上に押当てられると、移動部が第１の経路の始点に位置し、挟持ブロックは、第２のベースボディに対向するように第１位置に位置決めされ、
挟持ブロックが押圧されると、挟持ブロックが第２の収納槽内で第１の収納槽底部に向かって変位し、２つの第１の挟持部は、第１の押圧部上に押当てられてそれに沿って変位し、２つの第１の挟持部が互いに近づいて第２の収納槽内に略隠され、制御部材は、挟持ブロックにより変位され、第２の凸柱は、第３の収納槽内で旋回し、第３の押圧部は、第２の押圧部上に押当てられず、移動部は、第１の経路及び第２の経路に沿ってこの順に移動し、第１の弾性部材は、制御部材及び挟持ブロックが圧接されて圧縮され、
移動部は、第３の経路に向かって移動された後、係合部に押当てられて係合され、スイッチセットは、係合状態を呈し、第１の弾性部材は、弾性回復力により復位し、制御部材及び挟持ブロックが押圧されて第２の収納槽の開口に向かって変位すると、２つの第１の挟持部の一部が第２の収納槽から突出され、２つの第１の挟持部が互いに近づき、挟持ブロックが第２位置に位置決めされ、
挟持ブロックが再び押圧されると、移動部が第４の経路及び第５の経路に向かって変位し、第１の弾性部材の付勢力により挟持ブロックが第１位置に復位することを特徴とする請求項４に記載のドライバ構造。
【請求項７】
押圧セットは、第１の管体、第３のベースボディ、第１のピン、リング、第２の管体、第２の弾性部材、ドライバセット、蓋体及び押圧部材を有し、
第１の管体内には、第１の貫通槽が形成され、第１の貫通槽は、第１の管体に形成され、
第３のベースボディは、第１の収容槽内に収容され、第３のベースボディは、第１の収容槽内で変位可能であり、第３のベースボディは、第１の管体と組み合わされ、第１の管体は、第３のベースボディと同時に変位し、第３のベースボディが第１の収容槽内で変位すると、第１の管体は、変位して第１の収容槽内に隠されるか、本体から突出され、第３のベースボディの一端中央部には、結合部が設けられ、結合部には、第１の管体の一端が取付けられ、第１の管体と第３のベースボディとが組み合わされ、結合部の開口は、第１の収容槽の開口に対向状に設置され、結合部の底部には、第１の押圧面が設けられ、第１の押圧面には、第１の管体が押当てられ、第３のベースボディの他端には、第２の押圧面が設けられ、第２の押圧面は、第１の挟持部に対向状に設置され、第３のベースボディの他端には、第２のばね収容槽が形成され、第２のばね収容槽の開口は、第２の収容槽に対向状に設置され、
第１のピンは、第１の貫通槽及び結合部に挿設され、第１のピンの一端には、第２の挟持部が設けられ、第２の挟持部は、第３のベースボディから突出され、第２の挟持部は、スイッチセットに対向状に設置され、第２の挟持部は、挟持ブロックを押圧し、第２の挟持部は、第１の挟持部とともに挟持し、スイッチセットが係合状態である場合、即ち、第２位置に位置決めされる場合、第２の挟持部が第１の挟持部とともに挟持し、第１のピン上には、リング溝が形成され、リング溝は、結合部から突出され、
リングは、リング溝に嵌設され、
第２の管体は、第１の貫通槽内に挿設され、第２の管体は、第１の貫通槽内で変位可能であり、第２の管体の一端には、第１のピンが取り付けられ、第２の管体が第１の管体に対して変位するとき、第２の管体は、第１のピンを変位させ、第２の管体の他端は、第１の管体から突出され、
第２の弾性部材は、第１の貫通槽内に収容され、第２の弾性部材は、第１のピン上に嵌合され、第２の弾性部材は、第１の押圧面と第２の管体との間に付勢力を作用させ、
ドライバセットは、第１の管体上に嵌合され、ドライバセットは、第１の管体と同期で変位し、第１の収容槽内に隠されるか本体から突出され、
蓋体は、第１の管体と組み合わされ、蓋体は、第３のベースボディから離れ、蓋体は、第１の収容槽の開口を閉じ、第１の収容槽は閉鎖状を呈し、蓋体の他端には、収容空間が形成され、収容空間には、第２の管体が挿設され、第２の管体は、第１の貫通槽及び収容空間に挿設され、
押圧部材は、第２の管体の他端に嵌着され、押圧部材は、収容空間内に収容され、押圧部材は、収容空間内で所定距離で変位して押圧し、押圧部材が押圧されると、第２の管体及び第１のピンが第１の貫通槽で同時に変位され、第２の管体を第２の弾性部材に押し当てて圧縮し、
第２のスライドレールが第１のスライドレールに対して摺動し、第３のベースボディは、第１の収容槽内で変位可能であり、第１の管体、第１のピン、リング、第２の管体、第２の弾性部材、ドライバセット、蓋体及び押圧部材が同期で変位することを特徴とする請求項４に記載のドライバ構造。
【請求項８】
第１の管体は、中空状の円管体であり、第１の貫通槽は、円状貫通槽であり、
結合部は、円槽状を呈し、第２のばね収容槽は、円槽状を呈し、第３のベースボディの外側には、複数の第２のスライドレールが形成され、第２のスライドレールには、第１のスライドレールが摺設され、第３のベースボディが第１の収容槽内で直線摺動し、第２のスライドレールの数は、第１のスライドレールの数と同じであり、複数の第２のスライドレールは、環状に配列され、第３のベースボディは、第２の拘束部を有し、第２の拘束部は、第１の拘束部により制限され、第３のベースボディが第１の拘束部及び第２の拘束部により制限され、第１の収容槽から完全に外れることを防ぎ、
リング溝は、第２の押圧面と対向状に設置され、リング溝は凹状環溝であり、
リングは、第２の押圧面上に押当てられ、第２の管体は、円管体であり、
ドライバセットは、異なる規格の複数のドライバビットを含み、各ドライバビットは、取り換えて駆動部に取付けられることを特徴とする請求項７に記載のドライバ構造。
【請求項９】
第３の弾性部材は、第１の当接縁及び第２のばね収容槽に付勢力を作用させ、弾性部材はバネであることを特徴とする請求項７に記載のドライバ構造。
【請求項１０】
蓋体が押動されると、蓋体は、第１の管体及び第３のベースボディと一体的に変移し、
第２のスライドレールは、第１のスライドレール上で摺動され、蓋体は、押圧セットを変位させ、押圧セットが第１の収容槽内で、スイッチセットに向かって変位されると、第３のベースボディは、第３の弾性部材を圧接して圧縮し、第１のピンが挟持ブロックを押圧し、２つの第１の挟持部は、第１の押圧部上に押当てられてそれに沿って変位し、２つの第１の挟持部が互いに近づいて第２の収納槽内に略隠され、挟持ブロックは、制御部材を変位し、第１の弾性部材を圧接して圧縮し、第２の凸柱は、第３の収納槽内で旋回し、移動部は、第１の経路、第２の経路及び第３の経路に沿ってこの順に移動し、係合部に係合され、移動部が係合部に完全に係合されると、スイッチセットが係合状態を呈し、挟持ブロックが第２位置に位置決めされると、第１の弾性部材は、弾性回復力により復位し、制御部材及び挟持ブロックが押圧されて第２の収納槽の開口に向かって変位すると、２つの第１の挟持部の一部が第２の収納槽から突出され、第２の挟持部上に挟設され、第２の挟持部は、第１の挟持部により拘束され、押圧セットは、スイッチセットにより制限されて収納され、本体内に隠され、蓋体は、第１の収容槽を閉鎖することを特徴とする請求項７に記載のドライバ構造。
【請求項１１】
押圧部材が押圧されると、押圧部材は、第２の管体及び第１のピンをスイッチセットに向かって変位させ、第２の管体を第２の弾性部材に押し当てて圧縮し、第１のピンが挟持ブロックに圧接され、挟持ブロックにより制御部材を変位させて第１の弾性部材に圧接させ、第２の凸柱が第３の収納槽内で旋回され、移動部が係合部から外れ、第４の経路及び第５の経路に沿って移動し、第１の経路の端部に復位し、第１の弾性部材が弾性回復力により復位し、制御部材及び挟持ブロックに付勢力を作用させて変位させ、２つの第１の挟持部は、第１の押圧部から外れて離れ、第２の収納槽から完全に突出され、スイッチセットは非係合状態となり、挟持ブロックは、第１位置に位置し、２つの第１の挟持部が第２の挟持部から外れ、押圧セットがスイッチセットにより制限されなくなると、押圧セットは、第３の弾性部材の付勢力を受けて押圧され、第２のスライドレールが第１のスライドレールに対して摺動し、押圧セットが第１の収容槽からイジェクトされるため、ドライバセットを容易に取出し得ることを特徴とする請求項７に記載のドライバ構造。
【請求項１２】
第１のベースボディは、第２のベースボディと一体化され、
第１の管体は、第３のベースボディと一体化されるか、蓋体と一体化され、
第２の管体は、押圧部材と一体化されることを特徴とする請求項７に記載のドライバ構造。
【考案の詳細な説明】
【技術分野】
【０００１】
本考案は、ドライバ構造に関するものである。
【背景技術】
【０００２】
従来のドライバ構造（例えば、特許文献１）には、以下（１）〜（４）の欠点があった。
（１）カバー内には、径方向で横方向に移動するスライドバルブが設けられ、使用者がカバーを開く場合、まず、スライドバルブを押動しなければ、カバーをハンドル端部から外すことができず、カバーを収納するときもスライドバルブを移動しなければならず、カバーを開くときもカバーを収納するときもスライドバルブの変位が必要であったため、手間及び時間が多くかかった。
（２）カバーの体積が大きくなく、スライドバルブのサイズも制限されていたため、接触表面積には限界があった。
（３）スライドバルブは、一般にプラスチック射出成形部材であるため、ストッパフックが受ける力が不足してしまう虞があった。
（４）操作する者は、一般に一方の手でハンドルを把持し、ハンドルを把持している手をもう他方の手が越えてスライドバルブを押動するため、操作者がスライドバルブの位置を見ることができず、スライドバルブの体積が大きくない上、押動操作の空間が制限されている場合、操作し難い上、操作が失敗してしまうことがあった。
【先行技術文献】
【特許文献】
【０００３】
【特許文献１】欧州特許第２６９８２３１Ｂ１号明細書
【考案の開示】
【課題を解決するための手段】
【０００４】
上記課題を解決するために、本考案の第１の形態によれば、本体、スイッチセット、押圧セット及び第３の弾性部材を備えた、ドライバ構造であって、前記本体は、一端に駆動部が設けられ、他端にハンドルが取り付けられ、ハンドル内には、第１の収容槽が形成され、第１の収容槽内には、第２の収容槽が形成され、第１の収容槽と第２の収容槽との間には、第１の当接縁が設けられ、本体は、少なくとも１つの第１のスライドレールを有し、前記スイッチセットは、本体と組み合わされるとともに、第１の収容槽及び第２の収容槽に取付けられ、スイッチセットは、２つの第１の挟持部を有し、スイッチセットが押圧されると、２つの第１の挟持部が互いに近づき、スイッチセットが再び押圧されると、２つの第１の挟持部が互いに離れ、スイッチセットが押圧されると、２つの第１の挟持部は、互いに近づくか離れ、前記押圧セットは、本体及びスイッチセットと組み合わされ、押圧セットが第１の収容槽内に向かって変位すると、押圧セットがスイッチセットを押圧し、２つの第１の挟持部が押圧セットに係合され、押圧セットは、第１の収容槽内に位置決めされて外れなくされ、押圧セットが再び押圧されると、２つの第１の挟持部が押圧セットに係合されなくなり、押圧セットは、第１の収容槽の開口に向かって変位し、前記第３の弾性部材は、第１の収容槽内に収容されるとともに、第１の当接縁と押圧セットとの間に付勢力を作用させることを特徴とする、ドライバ構造を提供する。
【図面の簡単な説明】
【０００５】
【図１】本考案の一実施形態に係るドライバ構造を示す分解斜視図である。
【図２】本考案の一実施形態に係るドライバ構造の本体を示す断面図である。
【図３】本考案の一実施形態に係るドライバ構造のスイッチセットを示す分解斜視図である。
【図４】本考案の一実施形態に係るドライバ構造の第２のベースを示す側面図である。
【図５】図４の線Ａ−Ａに沿った断面図である。
【図６】本考案の一実施形態に係るドライバ構造のスイッチセットの一部部材の説明図である。
【図７】本考案の一実施形態に係るドライバ構造のスイッチセットの一部部材の第１の操作状態の説明図である。
【図８】本考案の一実施形態に係るドライバ構造のスイッチセットの一部部材の第２の操作状態の説明図である。
【図９】本考案の一実施形態に係るドライバ構造のスイッチセットの一部部材の第３の操作状態を示す側面図である。
【図１０】図９の線Ｃ−Ｃに沿った断面図である。
【図１１】本考案の一実施形態に係るドライバ構造の押圧セットを示す分解斜視図である。
【図１２】本考案の一実施形態に係るドライバ構造の第３のベースの別な角度からの斜視図である。
【図１３】本考案の一実施形態に係るドライバ構造の押圧セットを示す側面図である。
【図１４】図１３の線Ｄ−Ｄに沿った断面図である。
【図１５】本考案の一実施形態に係るドライバ構造を示す組立斜視図である。
【図１６】本考案の一実施形態に係るドライバ構造を示す側面図である。
【図１７】図１６の線Ｅ−Ｅに沿った断面図である。
【図１８】図１６の線Ｅ−Ｅに沿った他の操作状態を示す断面図である。
【図１９】図１８のＦ部分の拡大図である。
【図２０】本考案の一実施形態に係るドライバ構造の他の操作状態を示す斜視図である。
【考案を実施するための形態】
【０００６】
図１〜図１４を参照する。図１〜図１４に示すように、本考案の一実施形態に係るドライバ構造は、少なくとも本体１０及びスイッチセット２０から構成されてなる。
【０００７】
図２を参照する。図２に示すように、本体１０は、一端に駆動部１１が設けられる。駆動部１１の端部は、ドライバビット構造であるか、槽状に形成されて各ドライバビットが嵌設されるか、四角ビットに形成されてもよい。本体１０の他端には、ハンドルが取り付けられる。ハンドル内には、第１の収容槽１２が形成される。第１の収容槽１２は、ハンドル端部に至るまで延びて開放状を呈する。第１の収容槽１２の開口は、駆動部１１から遠い。第１の収容槽１２内には、第２の収容槽１３が形成される。第２の収容槽１３は、第１の収容槽１２と連通する。第２の収容槽１３は、駆動部１１と第１の収容槽１２との間に形成される。第２の収容槽１３の直径は、第１の収容槽１２の直径より小さく、第１の収容槽１２と第２の収容槽１３との間には第１の当接縁１４が設けられる。本  体１０は、少なくとも１つの第１のスライドレール１５を有する。第１のスライドレール１５の数は複数個である。複数の第１のスライドレール１５は、第１の収容槽１２の内面上に間隔をおいて環状配列される。第１のスライドレール１５は、一部品であり、本体１０上に取付けられてもよいし、第１のスライドレール１５と本体１０とが一体成形されてもよい。第１のスライドレール１５の端部には、第１の拘束部１６が設けられる。第１の拘束部１６は、第１の収容槽１２の開口近くに設けられる。
【０００８】
図３を参照する。図３に示すスイッチセット２０は、本体１０と組み合わされるとともに、第１の収容槽１２及び第２の収容槽１３に取付けられる。スイッチセット２０は、２つの第１の挟持部２３１を有する。スイッチセット２０が押圧されると、２つの第１の挟持部２３１は互いに近づく。スイッチセット２０が再び押圧されると、２つの第１の挟持部２３１は互いに離れる。即ち、スイッチセット２０が押圧されると、２つの第１の挟持部２３１は、互いに近づくか離れる。スイッチセット２０は、第１のベースボディ２１、第２のベースボディ２２、挟持ブロック２３、制御部材２４及び第１の弾性部材２５を含む。
【０００９】
第１のベースボディ２１は、中空状の円ベースボディ体を呈する。第１のベースボディ２１は、第２の収容槽１３に固設される。第１のベースボディ２１内には、第１の収納槽２１１が形成される。第１の収納槽２１１は、長方形槽である。
【００１０】
図４及び図５を参照する。図４及び図５に示すように、第２のベースボディ２２は、第１の収納槽２１１内に固設される。第２のベースボディ２２内には、第２の収納槽２２１が形成される。第２の収納槽２２１の開口は、第１の収納槽２１１の開口に対して平行に設けられる。第２の収納槽２２１は、長方形槽である。第２のベースボディ２２の一側には、スライド溝２２２が形成される。スライド溝２２２は、第２の収納槽２２１と連通する。スライド溝２２２は、第１の経路２２２１、第２の経路２２２２、第３の経路２２２３、係合部２２２４、第４の経路２２２５及び第５の経路２２２６をこの順に有する。第１の経路２２２１、第２の経路２２２２、第３の経路２２２３、係合部２２２４、第４の経路２２２５及び第５の経路２２２６は、ループを構成する。係合部２２２４は、凹弧部である。第２のベースボディ２２は、２つの第１の押圧部２２３を有する。２つの第３の経路２２２３は、第２の収納槽２２１の開口近くに設けられる。第２の収納槽２２１の底部には、第１の凸柱２２４が突設される。第１の凸柱２２４は、円柱状である。
【００１１】
挟持ブロック２３は、第２の収納槽２２１に取付けられる。２つの第１の挟持部２３１は、挟持ブロック２３の一端に設けられる。２つの第１の挟持部２３１は、対向状に設置される。挟持ブロック２３は、第２の収納槽２２１で変位すると、２つの第１の挟持部２３１が互いに近づいて第１の押圧部２２３に当接されるか、互いに離れて第１の押圧部２２３から離れて第２の収納槽２２１から完全に突出される。挟持ブロック２３の他端には、第１のばね収容槽２３２が形成される。第１のばね収容槽２３２は、第１の凸柱２２４に対して対向する。第１のばね収容槽２３２の開口は、第１の挟持部２３１から離れる。挟持ブロック２３は、第３の収納槽２３３を有する。第３の収納槽２３３は、挟持ブロック２３に穿設される。第３の収納槽２３３は、第１のばね収容槽２３２と連通する。第３の収納槽２３３は、第１の挟持部２３１と第１のばね収容槽２３２との間に形成される。第３の収納槽２３３は、第２の押圧部２３４を有する。
【００１２】
制御部材２４は、第２のベースボディ２２及び挟持ブロック２３と組み合わされる。制御部材２４は、第２の凸柱２４１を有する。第２の凸柱２４１は、第３の収納槽２３３に挿設される。第２の凸柱２４１は、第３の押圧部２４２を有する。第３の押圧部２４２は、第２の押圧部２３４に押当てされるか押当てられない。制御部材２４は、移動部２４３を有する。移動部２４３は、スライド溝２２２に収容される。移動部２４３は、挟持ブロック２３を押圧する円体状を呈する。挟持ブロック２３は、第２の収納槽２２１内で変位する。移動部２４３は、スライド溝２２２で変位する。第２の凸柱２４１が挟持ブロック２３により駆動され、第３の収納槽２３３内で自然に旋回すると、移動部２４３がスライド溝２２２内で移動し、係合部２２２４から外れる。挟持ブロック２３は、第１の経路２２２１の始点である、第１位置に位置する。第３の押圧部２４２が第２の押圧部２３４に押当てられるか、移動部２４３がスライド溝２２２内で移動し、係合部２２２４に係合されて位置決めされる。挟持ブロック２３は、第２位置に位置決めされる。挟持ブロック２３が複数回押圧されると、挟持ブロック２３が第１位置及び第２位置で往復されて位置決めされる。２つの第１の挟持部２３１は、第１の位置で互いに離れ、第２位置で互いに近づく。
【００１３】
第１の弾性部材２５は、制御部材２４と挟持ブロック２３との間に付勢力を作用させる。第１の弾性部材２５は、挟持ブロック２３を復位させる。第１の弾性部材２５は、第２の収納槽２２１と第１のばね収容槽２３２との間に付勢力を作用させる。第１の弾性部材２５は、第２の収納槽２２１の底部と、第２の凸柱２４１との間に付勢力を作用させる。第１の弾性部材２５は、第１の凸柱２２４上に嵌合される。
【００１４】
図６を参照する。図６に示すように、移動部２４３は、スライド溝２２２に収容される。第１の弾性部材２５は、第２の収納槽２２１の底部と挟持ブロック２３との間に付勢力を作用させ、２つの第１の挟持部２３１が互いに離れて第２の収納槽２２１から突出され、第１の弾性部材２５の付勢力により第３の押圧部２４２が第２の押圧部２３４上に押当てられると、移動部２４３が第１の経路２２２１の始点に位置する。挟持ブロック２３は、第２のベースボディ２２に対向するように第１位置に位置決めされる。
【００１５】
図７を参照する。図７に示すように、挟持ブロック２３が押圧されると、挟持ブロック２３が第２の収納槽２２１内で第１の収納槽２１１底部に向かって変位する。２つの第１の挟持部２３１は、第１の押圧部２２３上に押当てられてそれに沿って変位し、２つの第１の挟持部２３１が互いに近づいて第２の収納槽２２１内に略隠される。制御部材２４は、挟持ブロック２３により変位される。第２の凸柱２４１は、第３の収納槽２３３内で旋回する。第３の押圧部２４２は、第２の押圧部２３４上に押当てられない。移動部２４３は、第１の経路２２２１及び第２の経路２２２２に沿ってこの順に移動する。第１の弾性部材２５は、制御部材２４及び挟持ブロック２３が圧接されて圧縮される。
【００１６】
図８〜図１０を参照する。図８〜図１０に示すように、移動部２４３は、第３の経路２２２３に向かって移動された後、係合部２２２４に押当てられて係合される。スイッチセット２０は、係合状態を呈する。第１の弾性部材２５は、弾性回復力により復位する。制御部材２４及び挟持ブロック２３が押圧されて第２の収納槽２２１の開口に向かって変位すると、２つの第１の挟持部２３１の一部が第２の収納槽２２１から突出され、２つの第１の挟持部２３１が互いに近づき、挟持ブロック２３が第２位置に位置決めされる。
【００１７】
挟持ブロック２３を再び押圧すると、移動部２４３が第４の経路２２２５及び第５の経路２２２６に向かって変位し、第１の弾性部材２５の付勢力により挟持ブロック２３が第１位置に復位する。
【００１８】
図１１を参照する。図１１に示すように、押圧セット３０は、本体１０及びスイッチセット２０と組み合わされる。押圧セット３０が第１の収容槽１２内に向かって変位すると、押圧セット３０がスイッチセット２０を押圧し、２つの第１の挟持部２３１が押圧セット３０に係合される。押圧セット３０は、第１の収容槽１２内に位置決めされて外れなくされ、押圧セット３０を再び押圧すると、２つの第１の挟持部２３１が押圧セット３０に係合されなくなり、押圧セット３０は、第１の収容槽１２の開口に向かって変位する。押圧セット３０は、第１の管体３１、第３のベースボディ３２、第１のピン３３、リング３４、第２の管体３５、第２の弾性部材３６、ドライバセット３７、蓋体３８及び押圧部材３９を含む。
【００１９】
第１の管体３１は、中空状の円管体である。第１の管体３１内には、第１の貫通槽３１１が形成される。第１の貫通槽３１１は、第１の管体３１に形成される。第１の貫通槽３１１は、円状貫通槽である。
【００２０】
図１２を参照する。図１２に示すように、第３のベースボディ３２は、第１の収容槽１２内に収容される。第３のベースボディ３２は、第１の収容槽１２内で変位可能である。第３のベースボディ３２は、第１の管体３１と組み合わされる。第１の管体３１は、第３のベースボディ３２と同時に変位する。第３のベースボディ３２が第１の収容槽１２内で変位すると、第１の管体３１は、変位して第１の収容槽１２内に隠されるか、本体１０から突出される。第３のベースボディ３２の一端中央部には、結合部３２１が設けられる。結合部３２１には、第１の管体３１の一端が取付けられ、第１の管体３１と第３のベースボディ３２とが組み合わされる。結合部３２１の開口は、第１の収容槽１２の開口に対向状に設置される。結合部３２１は、円槽状を呈する。結合部３２１の底部には、第１の押圧面３２２が設けられる。第１の押圧面３２２には、第１の管体３１が押当てられ、第３のベースボディ３２の他端には、第２の押圧面３２３が設けられる。第２の押圧面３２３は、第１の挟持部２３１に対向状に設置される。第３のベースボディ３２の他端には、第２のばね収容槽３２４が形成される。第２のばね収容槽３２４の開口は、第２の収容槽１３に対向状に設置される。第２の押圧面３２３は、第２のばね収容槽３２４の範囲内に設けられる。第２のばね収容槽３２４は、円槽状を呈する。第３のベースボディ３２の外側には、少なくとも１つの第２のスライドレール３２５が形成される。第２のスライドレール３２５には、第１のスライドレール１５が摺設され、第３のベースボディ３２が第１の収容槽１２内で直線摺動する。第２のスライドレール３２５の数は複数である。第２のスライドレール３２５の数は、第１のスライドレール１５の数と同じである。複数の第２のスライドレール３２５は、環状に配列される。第３のベースボディ３２は、第２の拘束部３２６を有する。第２の拘束部３２６は、第１の拘束部１６により制限され、第３のベースボディ３２が第１の拘束部１６及び第２の拘束部３２６により制限され、第１の収容槽１２から完全に外れることを防ぐ。
【００２１】
第１のピン３３は、第１の貫通槽３１１及び結合部３２１に挿設される。第１のピン３３の一端には、第２の挟持部３３１が設けられる。第２の挟持部３３１は、第３のベースボディ３２から突出される。第２の挟持部３３１は、スイッチセット２０に対向状に設置される。第２の挟持部３３１は、挟持ブロック２３を押圧する。第２の挟持部３３１は、第１の挟持部２３１とともに挟持する。スイッチセット２０が係合状態である場合、即ち、第２位置に位置決めされる場合、第２の挟持部３３１が第１の挟持部２３１とともに挟持する。第１のピン３３上には、リング溝３３２が形成される。リング溝３３２は、結合部３２１から突出される。リング溝３３２は、第２の押圧面３２３と対向状に設置される。リング溝３３２は凹状環溝である。
【００２２】
リング３４は、リング溝３３２に嵌設される。リング３４は、第２の押圧面３２３上に押当てられる。
【００２３】
第２の管体３５は、第１の貫通槽３１１内に挿設される。第２の管体３５は、第１の貫通槽３１１内で変位可能である。第２の管体３５の一端には、第１のピン３３が取り付けられる。第２の管体３５が第１の管体３１に対して変位するとき、第２の管体３５は、第１のピン３３を変位させる。第２の管体３５の他端は、第１の管体３１から突出される。第２の管体３５は、円管体である。
【００２４】
第２の弾性部材３６は、第１の貫通槽３１１内に収容される。第２の弾性部材３６は、第１のピン３３上に嵌合される。第２の弾性部材３６は、第１の押圧面３２２と第２の管体３５との間に付勢力を作用させる。
【００２５】
ドライバセット３７は、第１の管体３１上に嵌合される。ドライバセット３７は、第１の管体３１と同期で変位し、第１の収容槽１２内に隠されるか、本体１０から突出される。ドライバセット３７は、異なる規格の複数のドライバビットを含む。各ドライバビットは、取り換えて駆動部１１に取付けられる。
【００２６】
蓋体３８は、第１の管体３１と組み合わされる。蓋体３８は、第３のベースボディ３２から離れる。蓋体３８は、第１の収容槽１２の開口を閉じ、第１の収容槽１２は閉鎖状を呈する。蓋体３８の他端には、収容空間３８１が形成される。収容空間３８１には、第２の管体３５が挿設される。第２の管体３５は、第１の貫通槽３１１及び収容空間３８１に挿設される。
【００２７】
押圧部材３９は、第２の管体３５の他端に嵌着される。押圧部材３９は、収容空間３８１内に収容される。押圧部材３９は、収容空間３８１内で所定距離で変位して押圧する。押圧部材３９を押圧すると、第２の管体３５及び第１のピン３３が第１の貫通槽３１１で同時に変位され、第２の管体３５を第２の弾性部材３６に押し当てて圧縮する。
【００２８】
図１３及び図１４を参照する。図１３及び図１４に示すように、第２のスライドレール３２５は、第１のスライドレール１５上を摺動する。第２の挟持部３３１は、第１の挟持部２３１に対して対向状に設置される。蓋体３８と第１の管体３１とは一体的に変移する。押圧部材３９は、押圧されると、収容空間３８１内で所定距離で変位する。
【００２９】
第３の弾性部材４０は、第１の収容槽１２内に収容される。第３の弾性部材４０は、第１の当接縁１４と押圧セット３０との間に付勢力を作用させる。第３の弾性部材４０は、第１の当接縁１４及び第２のばね収容槽３２４に付勢力を作用させる。第３の弾性部材４０はバネである。
【００３０】
押圧セット３０は、本体１０から突出される。第３の弾性部材４０は、第１の当接縁１４と押圧セット３０との間に付勢力を作用させ、スイッチセット２０が押圧セット３０から離される。
【００３１】
蓋体３８を押動すると、押圧セット３０が変位される。押圧セット３０がスイッチセット２０に向かって変位されると、スイッチセット２０が係合状態となる。押圧セット３０がスイッチセット２０により制限され、本体１０内に収納されると隠れる。蓋体３８は、第１の収容槽１２を閉鎖する。
【００３２】
押圧部材３９を押圧すると、スイッチセット２０は非係合状態となり、押圧セット３０は、スイッチセット２０により制限されない状態となる。押圧セット３０は、第３の弾性部材４０の付勢力を受けて押圧され、第２のスライドレール３２５が第１のスライドレール１５に対して摺動し、押圧セット３０が第１の収容槽１２からイジェクトされる。
【００３３】
図１５〜図１７を参照する。図１５〜図１７に示すように、押圧セット３０が本体１０から突出されると、ドライバセット３７から何れか１つのドライバビットを選択し、交換することができる。
【００３４】
図１８〜図２０を参照する。図１８〜図２０に示すように、蓋体３８を押動すると、押圧セット３０が変位する。押圧セット３０は、スイッチセット２０により制限されて収納され、本体１０内に隠される。
【００３５】
本考案の他の実施形態では、第１のベースボディ２１は、第２のベースボディ２２と一体化されてもよい。また、第１の管体３１は、第３のベースボディ３２と一体化されるか、蓋体３８と一体化されてもよい。また、第２の管体３５は、押圧部材３９と一体化されてもよい。また、本考案で述べる両者間の組み合わせは、接着剤による接着か、係合構造による係合か、ねじ部による螺合で行ってもよい。
【００３６】
本考案のドライバ構造は、以下（１）〜（３）の長所を有する。
（１）押圧セット３０は、本体１０及びスイッチセット２０と組み合わされる。押圧セット３０が変位すると、押圧セット３０はスイッチセット２０を押圧する。押圧セット３０が第１の収容槽１２内に位置決めされると外れなくなり、押圧セット３０を再び押圧すると、第１の収容槽１２の開口に向かって変位するため、押圧セット３０を押圧して往復させるだけで、押圧セット３０を収納するか、押圧セット３０を本体１０から突出させることができる。
（２）１つの動作のみで押圧セット３０を本体１０から突出させることができ、押圧の操作方式も簡便である。
（３）２つの第１の挟持部２３１は、第３の弾性部材４０の付勢力を共同で分担することができる。
【符号の説明】
【００３７】
１０  本体
１１  駆動部
１２  第１の収容槽
１３  第２の収容槽
１４  第１の当接縁
１５  第１のスライドレール
１６  第１の拘束部
２０  スイッチセット
２１  第１のベースボディ
２２  第２のベースボディ
２３  挟持ブロック
２４  制御部材
２５  第１の弾性部材
３０  押圧セット
３１  第１の管体
３２  第３のベースボディ
３３  第１のピン
３４  リング
３５  第２の管体
３６  第２の弾性部材
３７  ドライバセット
３８  蓋体
３９  押圧部材
４０  第３の弾性部材
２１１  第１の収納槽
２２１  第２の収納槽
２２２  スライド溝
２２３  第１の押圧部
２２４  第１の凸柱
２３１  第１の挟持部
２３２  第１のばね収容槽
２３３  第３の収納槽
２３４  第２の押圧部
２４１  第２の凸柱
２４２  第３の押圧部
２４３  移動部
３１１  第１の貫通槽
３２１  結合部
３２２  第１の押圧面
３２３  第２の押圧面
３２４  第２のばね収容槽
３２５  第２のスライドレール
３２６  第２の拘束部
３３１  第２の挟持部
３３２  リング溝
３８１  収容空間
２２２１  第１の経路
２２２２  第２の経路
２２２３  第３の経路
２２２４  係合部
２２２５  第４の経路
２２２６  第５の経路
【図１】
0003232270.tif 000003
【図２】
0003232270.tif 000004
【図３】
0003232270.tif 000005
【図４】
0003232270.tif 000006
【図５】
0003232270.tif 000007
【図６】
0003232270.tif 000008
【図７】
0003232270.tif 000009
【図８】
0003232270.tif 000010
【図９】
0003232270.tif 000011
【図１０】
0003232270.tif 000012
【図１１】
0003232270.tif 000013
【図１２】
0003232270.tif 000014
【図１３】
0003232270.tif 000015
【図１４】
0003232270.tif 000016
【図１５】
0003232270.tif 000017
【図１６】
0003232270.tif 000018
【図１７】
0003232270.tif 000019
【図１８】
0003232270.tif 000020
【図１９】
0003232270.tif 000021
【図２０】
0003232270.tif 000022